(57)【要約】【課題】中留部分を含めたバンド外観全体として、高級感を呈するセラミック製とし、しかも外観的にシンプルで簡素化された形態を呈するバンドの中留構造を提供する。【解決手段】セラミック材からなる長板状部材１２の凹部１２ａを、中留１の裏板４の外観に現れる下外側面部分を覆うように嵌め、かつ貫通孔１２ｃが通孔部４ａに合うように位置決めする。その後、長板状部材１２の一方側の貫通孔１２ｃから、連結ピン部材１１の一端を挿入し、裏板４の通孔部４ａを通して長板状部材１２の他方側の貫通孔１２ｃへと嵌挿する。【選択図】図２
0003170736.tif 000002
【実用新案登録請求の範囲】
【請求項１】
バンド端部に設けられる一対の中板を、それぞれ裏板の両側部に回動可能に設け、前記中板のいずれか一方に連結ユニットを設け、前記中板を前記裏板に対して折り畳み状態にしたときに、前記連結ユニットが前記中板の上側を覆う状態で、前記連結ユニットに内設された係合部材が前記裏板の係止開口に係合することにより、前記両バンド端部が連結される構成のバンドの中留構造であって、バンドを構成する駒部材の少なくとも外表面部分が、セラミック材により成形されてなるバンドに使用されるバンドの中留構造において、
セラミック材により成形された断面略凹状の長板状部材を、前記裏板の下外側面を覆うように該長板状部材の凹部を前記裏板に嵌着させ、前記長板状部材の略中央部の側部に、前記裏板と連結する連結部を設けたことを特徴とするバンドの中留構造。
【請求項２】
前記裏板を金属材により形成したことを特徴とする請求項１に記載のバンドの中留構造。
【請求項３】
複数の前記連結部を前記長板状部材の前記略中央部に設けたことを特徴とする請求項１又は２に記載のバンドの中留構造。
【考案の詳細な説明】
【技術分野】
【０００１】  本考案は、駒がセラミック材により形成されている時計バンドや装飾品用バンドに適用され、該バンドにおけるバンド端部を連結する中留構造に関する
【背景技術】
【０００２】  図５は従来のいわゆる観音開き型の中留の一例を示す斜視図である。図５において、中留１は、保持開口２と係止開口３を有する裏板４に、第１の中板５と第２の中板６が折り畳み可能／回動可能に連結されている。第１の中板５には、時計バンドの一方の端部Ｂ１が連結されるとともに、第１の中板５を裏板４側に折り畳んだ際に、裏板４の保持開口２に対応する位置に突起部５ａが設けられている。【０００３】  さらに、中留１において、第２の中板６に表蓋７が回動可能に連結され、この表蓋７に時計バンドの他方の端部Ｂ２が連結されている。また、表蓋７には連結ユニット９が設けられており、該連結ユニット９は、第２の中板６と表蓋７とを裏板４側に折り畳んだ際に、裏板４の係止開口３に係合部（後述する）が係止される係合部材１０を備えている。【０００４】  前記構成において、第１の中板５を裏板４側に折り畳み、次いで第２の中板６と表蓋７とを裏板４側に折り畳むと、突起部５ａが保持開口２に保持されるとともに、係合部材１０の係合部が裏板４の係止開口３内に係止される。これにより時計バンドの両端部Ｂ１，Ｂ２の連結が完了する。【０００５】  また、時計バンドの端部Ｂ１，Ｂ２の連結を解除して開放するには、外部に突出する係合部材１０をバンド内方へ押し込む。すると、裏板４の係止開口３と、該係止開口３に係止している係合部材１０の係合部との係合が解除されて、時計バンドの端部Ｂ２が回動自在になる。これにより、時計バンドの両端部Ｂ１，Ｂ２を開放状態にすることができる。
【先行技術文献】
【特許文献】
【０００６】
【特許文献１】特開２００４−１８７７５２号公報
【特許文献２】実用新案登録第３１６８６４９号公報
【考案の概要】
【考案が解決しようとする課題】
【０００７】  近年、バンドに高級感を持たせるため、バンドにおいて独特の風合いを呈するセラミック製の駒体からなる時計バンドが市販されている。この種の時計バンドには、高級感のある中留として前記観音開き型の中留が使用されることが多い。【０００８】  前記中留は、通常、金属製の構成部材からなるが、セラミック製の駒体に整合させるため中留もセラミック製にすることも考えられる。しかし、中留の構成は、図５に示すように、細かい加工を必要とする構成部材からなっており、さらに小スケールの構成部材全体をセラミックにより成形することは難しい。【０００９】  従来の金属製の中留であれば各構成部材の加工製造は比較的容易であるが、セラミック材から従来と同様の機械強度を有する係合部材を成形することは、加工が困難でコストも大幅にアップする。したがって、従来ではバンドの駒体がセラミック製であっても、中留には金属製のものを採用していた。【００１０】  また、図６に示すように、従来の中留１の背面（裏面）には、裏板４に保持開口２と係止開口３が表われる。このため保持開口２に第１の中板５の突起部５ａが係合している状態、および係止開口３に係合部材１０における上述した係合部１０ａが係合している状態が露呈することになる。【００１１】  このように、従来では時計本体の側およびバンド全体をセラミック製にしたとしても、中留が金属製の部材からなるため、例えば、その部位にセラミック材と同色のメッキ等の処理を行っても質感が同じにならず、高級感が損なわれていた。【００１２】  さらに、従来の中留の構造では、中留を開いたときに、図６に示すように、その背面に開口部分や該開口部分に係合する部材の一部が露呈する状態となり、すっきりと簡素化されたデザインにはなっていなかった。【００１３】  そこで本考案は、前記従来の課題を解決し、中留部分を含めたバンド外観全体として、高級感を呈するセラミック製のものにすることを可能にし、しかも外観的にもシンプルで簡素化された形態を呈することを可能にしたバンドの中留構造を提供することを目的とする。
【課題を解決するための手段】
【００１４】  本考案のバンドの中留構造は、バンド端部に設けられる一対の中板を、それぞれ裏板の両側部に回動可能に設け、前記中板のいずれか一方に連結ユニットを設け、前記中板を前記裏板に対して折り畳み状態にしたときに、前記連結ユニットが前記中板の上側を覆う状態で、前記連結ユニットに内設された係合部材が前記裏板の係止開口に係合することにより、前記両バンド端部が連結される構成のバンドの中留構造であって、バンドを構成する駒部材の少なくとも外表面部分が、セラミック材により成形されてなるバンドに使用されるバンドの中留構造において、セラミック材により成形された断面略凹状の長板状部材を、前記裏板の下外側面を覆うように該長板状部材の凹部を前記裏板に嵌着させ、前記長板状部材の略中央部の側部に、前記裏板と連結する連結部を設けたことを特徴とする。【００１５】  また、本考案は、前記裏板を金属材により形成したことを特徴とする。【００１６】  また、本考案は、複数の前記連結部を前記長板状部材の前記略中央部に設けたことを特徴とする。
【考案の効果】
【００１７】  本考案のバンドの中留構造によれば、セラミック材により成形された断面略凹状の長板状部材により中留の裏板の下外側面を覆うことにより、外観上、バンドの駒と中留とがセラミック材にから形成されているように見え、バンド全体としてセラミック独特の風合いを呈するものにすることができ、高級感を高めることができる。【００１８】  しかも、中留自体には従来の構造のものを使用することにより、中留の調整は従来通り行った後、長板状部材を裏板に連結して止めればよく、中留自体の機能を低下させることにはならない。さらに中留全体をセラミック材にて成形するのでないため、製造コストを大幅に高めることもない。長板状部材以外の中留には、例えば、従来のステンレスなどの金属製のものをそのまま使用することができる。【００１９】  また、長板状部材をセラミック材にすることによって、成形時の歪などが金属製のものに比して発生し易いが、連結部を略中央部に形成することにより、連結部を端部に形成する場合よりも歪の影響が少なく、寸法精度が出し易い構造となる。【００２０】  このように、本考案のバンドの中留構造を採用することにより、耐久性に優れかつ高級感のあるセラミック製のバンドを提供することができる。
【図面の簡単な説明】
【００２１】
【図１】本考案に係る中留の実施形態を適用したバンドの中留部分を示す斜視図である。
【図２】本実施形態の中留の分解斜視図である。
【図３】本実施形態のバンドの中留の開放状態を示す斜視図である。
【図４】本実施形態のバンドの中留の裏面側を示す斜視図である。
【図５】従来のバンドの中留部分を示す斜視図である。
【図６】従来のバンドの中留の裏面側を示す斜視図である。
【考案を実施するための形態】
【００２２】  以下、本考案の好適な実施形態を図面に基づいて説明する。なお、以下の説明において、図５，図６を参照して説明した部材と同一機能のものには同一符号を付して詳しい説明は省略する。
【００２３】  図１，図２において、中留１の裏板４の略中央部分における保持開口２と係止開口３とが形成されている両側部に、軸体１１ａと管状体１１ｂとからなる複数（本例では２本）の連結ピン部材１１が嵌挿される複数の通孔部４ａが設けられている。
【００２４】  また、１２は、セラミック材により成形された断面略凹状の長板状部材であって、中留１の裏板４の下外側面を覆うように、長板状部材１２の凹部１２ａを裏板４の下側部分に嵌着させている。長板状部材１２の略中央部の側部突壁１２ｂには、裏板４の通孔部４ａに対して連結ピン部材１１を介して連結する連結部である複数の貫通孔１２ｃが穿設されている。
【００２５】  長板状部材１２の裏板４への装着は、まず、長板状部材１２を、貫通孔１２ｃが通孔部４ａに合うように位置決めしながら裏板４の下側部分に嵌める。その後、図２に示すように、長板状部材１２の一方側の貫通孔１２ｃから、連結ピン部材１１を構成する軸体１１ａと管状体１１ｂの一端を順次挿入し、裏板４の通孔部４ａを通して長板状部材１２の他方側の貫通孔１２ｃへと嵌挿する。
【００２６】  このようにして、長板状部材１２が裏板４に位置決め固定される。長板状部材１２と裏板４との位置決め固定後のバンドの状態が図３に示す状態である。
【００２７】  図１は中留１を折り畳み、時計バンドの両端部Ｂ１，Ｂ２を連結した状態を示している。時計バンドの駒体自体をセラミック製のものとし、かつ中留１の外側面をセラミック材の長板状部材１２によって覆うことにより、外観としては時計バンド全体がセラミック材から成るものとなる。よって、高硬度／高機械強度を有するセラミック材によりバンド構成部材の外側部全体が覆われることになり、本実施形態のバンドの耐摩耗性／耐久性が大幅に向上することになる。
【００２８】  さらに、駒体などのバンド本体と長板状部材１２とを同材質，同色にすることもできるため、独特の光沢を呈することと相俟って、デザイン面においても統一感のある優れたものとなる。また、図４に示すように、中留１の裏面側が長板状部材１２により覆われることにより、裏板４の保持開口２や係止開口３から突起部５ａや係合部１０ａが露出することがなくなり、外観において簡素化されたシンプルな形態を呈する。
【００２９】  さらに、従来の中留のように裏板４の保持開口２や係止開口３の開口周部、あるいは開口から突出する突起部５ａや係合部１０ａが、バンドを装着している使用者の肌に直接当接するようなこともない。
【００３０】  長板状部材１２には、連結部である貫通孔１２ｃを複数形成しているが、一般にセラミック材により長物を成形する場合には、ヒケなどの歪が発生しやすく、長物端部側において寸法精度が狂い易い。そのため、本実施例では、複数の貫通孔１２ｃを長板状部材１２の略中央部に形成／配設することにより、歪発生の少ない部位に貫通孔１２ｃを設置するようにして寸法誤差による影響を抑えるようにしている。
【００３１】  なお、前記実施形態における各部材の形状あるいは設置数などは、実際の実施において前記説明のものに限定されず、バンドの使用形態／仕様などにより適宜選択して決定する必要がある。
【産業上の利用可能性】
【００３２】  本考案は、バンドを構成する駒部材の少なくとも外表面部分が、セラミック材により成形されてなる時計バンドや装飾品用バンドに実施して有用である。
【符号の説明】
【００３３】１  中留
２  保持開口
３  係止開口
４  裏板
４ａ  通孔部
５  第１の中板
５ａ  突起部
６  第２の中板
７  表蓋
９  連結ユニット
１０  係合部材
１０ａ  係合部
１１  連結ピン部材
１１ａ  軸体
１１ｂ  管状体
１２  長板状部材
１２ａ  凹部
１２ｂ  側部突壁
１２ｃ  貫通孔
Ｂ１，Ｂ２  時計バンドの端部
【図１】
0003170736.tif 000003
【図２】
0003170736.tif 000004
【図３】
0003170736.tif 000005
【図４】
0003170736.tif 000006
【図５】
0003170736.tif 000007
【図６】
0003170736.tif 000008